(57)【要約】【課題】  店舗などでのビール樽の保管時において、場所をとらず、単純な構成でビール樽の低温維持を実現することができるビール樽用保冷容器を提供する。【解決手段】  厚肉の側面を有し、容器の横断面が所謂スーパー楕円となるように形成された発泡ポリエチレン製の容器本体１０と、容器本体１０の開口部と略同の大きさ及び形状で、別の容器本体のスタッキングを可能にするための凸部２１を上面に有する発泡ポリエチレン製の蓋部２０と、断面が略コの字型の形状で、蓋部２０と容器本体１０とが接合する周縁部を固定するためのゴム製のベルトバンド３０と、容器本体１０の底面に装着し、容器本体の移動を容易にするためのキャスター４０と、で構成され、ビール樽を収納した容器内に氷および水を充填して保冷する。【選択図】図１
2011031983.tif 000002
【特許請求の範囲】
【請求項１】
厚肉の側面を有し、容器の横断面が所謂スーパー楕円となるように形成された発泡ポリエチレン製の容器本体と、
前記容器本体の開口部と略同の大きさ及び形状で、別の容器本体のスタッキングを可能とするための凸部形状を上面に有する発泡ポリエチレン製の蓋部と、
断面が略コの字型の形状で、前記蓋部と前記容器本体とが接合する周縁部を固定するためのゴム製のベルトバンドと、
前記容器本体の底面に装着し、容器本体の移動を容易にするためのキャスターと、
で構成され、ビール樽を収納した容器内に氷および水を充填して保冷することを特徴とするビール樽用保冷容器。
【請求項２】
前記蓋部は、ビール樽に接続するホースを挿入するための穴部を有することを特徴とする請求項１に記載のビール樽用保冷容器。
【請求項３】
ビール樽を収納した前記容器本体を積層する際、上積みする容器本体の前記キャスターは脱着して積層されることを特徴とする請求項１又は２に記載のビール樽用保冷容器。
【発明の詳細な説明】
【技術分野】
【０００１】  本発明は、ビール樽の保冷を行う容器に関する。
【背景技術】
【０００２】  近年、ビールは銘柄間の競争が激しく、商品そのものに加え、鮮度の高い商品を供給するシステムについても開発競争が行われている。例えば、蓄冷剤を収納した容器内にビールを充填し、工場出荷から顧客到着までの間、最適な低温を維持できるようにした金属製のビール樽（例えば、特許文献１を参照）や、製品の搬送において厳重な温度管理を行うトラックなどが普及している。このようなビール樽やトラックによれば、工場から店舗までの搬送時においてビールを低温に維持することができる。【０００３】  一方、店舗等でのビール供給時においても、ビールの美味しさが引き立つ最適な低温を維持するための工夫がなされている。例えば、ビール樽を収容するための冷却室とサーバを備えた冷却装置（例えば、特許文献２を参照）や、ビール樽を収容して内部に氷等を充填し、そのままサーバ装置に装着することができる補助ケース（例えば、特許文献３を参照）などがある。このような冷却装置や補助ケースによれば、顧客への供給時においてビールを低温に維持することができる。【０００４】  以上のように、ビールは、工場から店舗までの搬送時や顧客への供給時において低温を維持するよう管理されている。しかしながら、飲食店などの店舗では、例えば、特許文献１に開示されたような樽でビールを購入する際、一定量の在庫を保有するが、その保管時に温度管理がなされていないという実態がある。例えば、倉庫に放置したり、サーバ装置の近くに積み置きしたりしている。特に、在庫期間が長い場合、樽の蓄冷剤などでは低温を維持できず、ビールの温度が上昇して鮮度は低下する。【０００５】  このように、従来は、製造から搬送までと顧客への供給時とにおいては温度管理が行われているのに、その途中の店舗等でのビール樽の保管時においてそれが中断すると、折角の鮮度維持が途切れてしまうという問題があった。ビール樽を包装するビニール製バッグに氷や水などを入れて保冷する方策も実施されいるが、一時的、応急的なもので長時間にわたる保管の対策とはなっていなかった。
【先行技術文献】
【特許文献】
【０００６】
【特許文献１】特開平６−１８３４６６号公報（第２頁〜第３頁、図２）
【特許文献２】特開２０００−１７１１４２号公報（第２頁〜第４頁、図１）
【特許文献３】特開２００２−１４５３９８号公報（第２頁〜第４頁、図１）
【発明の概要】
【発明が解決しようとする課題】
【０００７】  そこで本発明は上記従来の課題に鑑みてなされたものであり、店舗などでのビール樽の保管時において、場所をとらず、単純な構成でビール樽の低温維持を実現することができるビール樽用保冷容器を提供することを目的とする。
【課題を解決するための手段】
【０００８】  上記課題を解決するため、本発明のビール樽用保冷容器は、厚肉の側面を有し、容器の横断面が所謂スーパー楕円となるように形成された発泡ポリエチレン製の容器本体と、前記容器本体の開口部と略同の大きさ及び形状で、別の容器本体のスタッキングを可能にするための凸部形状を上面に有する発泡ポリエチレン製の蓋部と、断面が略コの字型の形状で、前記蓋部と前記容器本体とが接合する周縁部を固定するためのゴム製のベルトバンドと、前記容器本体の底面に装着し、容器本体の移動を容易にするためのキャスターと、で構成され、ビール樽を収納した容器内に氷および水を充填して保冷することを特徴とする。
上記構成によれば、場所をとらず、単純な構成でビール樽の低温維持、具体的には１気圧下０℃での保管を長時間にわたって実現することができる。【０００９】  また、本発明のビール樽用保冷容器は、請求項１に記載のビール樽用保冷容器であって、前記蓋部は、ビール樽に接続するホースを挿入するための穴部を有することを特徴とする。
上記構成によれば、容器内に収納したビール樽からホースを介してサーバ装置へ接続し、そのままビールの供給を行うことができる。従って、サーバ装置に冷却手段を設ける必要がなく、サーバ装置の構成を簡略化し、小型・軽量化することができる。【００１０】  また、本発明のビール樽用保冷容器は、請求項２に記載のビール樽用保冷容器であって、ビール樽を収納した前記容器本体を積層する際、上積みする容器本体の前記キャスターは脱着して積層されることを特徴とする。
上記構成によれば、容器のスタッキング（積み重ね）が安定して行えるので、店舗内の限られたスペースでもビール樽を低温を維持しながら保管することができる。
【発明の効果】
【００１１】  本発明のビール樽用保冷容器によれば、店舗などでのビール樽の保管時において、場所をとらず、単純な構成でビール樽の低温維持を長時間にわたって実現することができる。
【図面の簡単な説明】
【００１２】
【図１】  本発明の実施の形態におけるビール樽用保冷容器の外観を示す斜視図である。
【図２】  本発明の実施の形態におけるビール樽用保冷容器の部品構成を示す分解斜視図である。
【図３】  本発明の実施の形態におけるビール樽用保冷容器の正面図である。
【図４】  本発明の実施の形態におけるビール樽用保冷容器の背面図である。
【図５】  本発明の実施の形態におけるビール樽用保冷容器の右側面図である。
【図６】  本発明の実施の形態におけるビール樽用保冷容器の左側面図である。
【図７】  本発明の実施の形態におけるビール樽用保冷容器の平面図である。
【図８】  本発明の実施の形態におけるビール樽用保冷容器の底面図である。
【図９】  本発明の実施の形態におけるビール樽用保冷容器を２段積みにスタッキングした様子を示す斜視図である。
【図１０】  本発明の実施の形態におけるビール樽用保冷容器にビール樽が収納された状態を示す外観斜視図である。
【図１１】  本発明の実施の形態におけるビール樽用保冷容器の部品構成をビール樽が収納された状態で示す分解斜視図である。
【発明を実施するための形態】
【００１３】  以下、本発明の実施の形態におけるビール樽用保冷容器について、図面を用いて詳細に説明する。
【００１４】  図１は、本発明の実施の形態におけるビール樽用保冷容器の外観を示す斜視図である。また、図２は、本発明の実施の形態におけるビール樽用保冷容器の部品構成を示す分解斜視図である。更に、図３から図８は、本発明の実施の形態におけるビール樽用保冷容器の、正面図（図３）、背面図（図４）、右側面図（図５）、左側面図（図６）、平面図（図７）、底面図（図８）である。
【００１５】  ビール樽用保冷容器１００は、主に、容器本体１０、蓋部２０、ベルトバンド３０、キャスター４０、で構成される。
【００１６】  容器本体１０は、ビール樽を収納するための発泡ポリエチレン製容器である。容器本体１０は厚肉で、容器内側および外側の断面は円ではなく、所謂スーパー楕円の形状を有している。これにより、同じスペースに容器を保管する場合でも、断面が円の場合と比較して、収納するビール樽との空隙の体積を多く確保することができる。従って、氷および水を多量に充填でき、保冷時間を長くすることができる。ビール樽を収納したあと、容器内部には氷および水を充填して蓋部２０を載置する。
【００１７】  蓋部２０は、容器本体１０の開口部に装着し、ビール樽を収納した容器内部を密閉するための発泡ポリエチレン製蓋である。蓋部２０の上面には別の容器本体を上積みする際にその底面を適切に支えて安定させるための凸部２１が形成されている。また、蓋部２０の下面には、容器本体１０の容器内部の寸法とほぼ同じで、蓋部２０を装着する際に容器の内面に適度に嵌入する凸部２２が形成されている。更に、容器本体１０の開口部と蓋部２０のそれぞれが接合する周縁部は、接合面積が広くなるように形成されている。これらにより、容器内部の気密性を保つことができる。
また、蓋部２０の周縁の一部には、収納したビール樽に接続するホースを挿入するための穴部２３が形成されている。この穴部２３は、ビール樽用保冷容器の保冷性能を損なわない程度に最小限の大きさで形成されている。
【００１８】  ベルトバンド３０は、断面が略コの字型の形状で、蓋部２０と容器本体１０とが接合する周縁部を固定するゴム製バンドである。ベルトバンド３０で容器本体１０と蓋部２０とを固定することにより、収納したビール樽が浮いて蓋部２０を押し上げ、気密性が損なわれるのを防止する。ゴム製であるので、周縁部への装着、脱着が容易に行える。
【００１９】  キャスター４０は、容器本体の底面に装着し、容器本体の移動を容易にする。本実施の形態では、キャスター４０を４個設置している。キャスター４０は、リング４１に固定されており、このリング４１は、容器本体１０の底面周縁部に形成した凹部１１に嵌入して装着される。キャスター４０とリング４１を含むキャスター部は、容器本体１０への着脱が自在に行える。キャスター４０を装着すれば、ビール樽および冷却用の氷、水を収納した容器本体１０を容易に移動することができる。尚、キャスター４０の個数や大きさは実施の形態に示した例に限定されるものではない。
【００２０】  次に、図９は、本発明の実施の形態におけるビール樽用保冷容器を２段積みにスタッキングした様子を示す斜視図である。上積みするビール樽用保冷容器のキャスター４０は脱着して重ねられている。４個のキャスター４０はリング４１で一体化されているため、脱着がし易く、また脱着時に紛失等がおこりにくい。
【００２１】  また、上記のとおり、容器本体１０および蓋部２０は、厚肉の発泡ポリエチレンで成型されている。発泡ポリエチレンは、保温性に優れ、しかも軽量でありながら強度があるため、重量のあるビール樽を収納し、２段、３段と積み重ねて保管するビール樽用保冷容器の材質として最も好適である。特に、樹脂製の壁面の内側に空気層を設け、その中に発泡スチロールなどの保温部材を装填した二層構造のクーラーボックスなどと比較して、構造が簡単（発泡ポリエチレンの１種類のみ）であり、金型もワンプライで済むため、製造コストを低減できるという利点もある。
【００２２】  図１０は、本発明の実施の形態におけるビール樽用保冷容器にビール樽が収納された状態を示す外観斜視図である。また、図１１は、本発明の実施の形態におけるビール樽用保冷容器の部品構成をビール樽が収納された状態で示す分解斜視図である。
【００２３】  上記構成のビール樽用保冷容器を用いてビール樽を収納し、氷および水を充填して保管した場合、１気圧において０℃を維持することができる。また、氷や水を適宜補充すれば、ビールの鮮度（品質）を長時間にわたって維持することができる。
【００２４】  ところで、上述のように本発明のビール樽用保冷容器は、軽量で強度（耐久性）に優れ、しかもスタッキング（積み重ね）が可能であるため、製品（ビール樽）の通い箱としても利用可能である。例えば、工場出荷の段階で本発明のビール樽用保冷容器にビール樽を収納してから搬送を行うようにしてもよい。このようにすれば、搬送コストの高い保冷車（トラック）や冷却手段を備えたサーバ装置などを用いなくても、製造から顧客への提供までの間でビールの温度が上昇することがなく、一貫して低温を維持する配送システムを提供することができる。
【００２５】  以上のように、本発明の実施の形態におけるビール樽用保冷容器は、店舗などでのビール樽の保管時において、場所をとらず、単純な構成でビール樽の低温維持を実現することができる。
【００２６】
【産業上の利用可能性】
【００２７】  本発明に係るビール樽用保冷容器は、ビール樽の低温維持を長時間にわたって実現するという効果を有し、店舗などでビール樽を保管する際の保冷容器として、またビール樽の通い箱として有用である。
【符号の説明】
【００２８】  １０  容器本体
２０  蓋部
２１  凸部（蓋上面）
２２  凸部（蓋下面）
２３  穴部
３０  ベルトバンド
４０  キャスター
４１  リング
【図１】
2011031983.tif 000003
【図２】
2011031983.tif 000004
【図３】
2011031983.tif 000005
【図４】
2011031983.tif 000006
【図５】
2011031983.tif 000007
【図６】
2011031983.tif 000008
【図７】
2011031983.tif 000009
【図８】
2011031983.tif 000010
【図９】
2011031983.tif 000011
【図１０】
2011031983.tif 000012
【図１１】
2011031983.tif 000013